(57)【特許請求の範囲】
【請求項１】
ネットワークデバイスにより、構成情報を決定するステップであって、前記構成情報が1つまたは複数の基準信号リソースセットのタイムスロットオフセットを示すために使用され、前記基準信号リソースセットが少なくとも1つの基準信号リソースを備え、前記基準信号リソースが基準信号構成を示すために使用され、前記基準信号が非周期的なチャネル状態情報基準信号（CSI−RS）であり、前記タイムスロットオフセットの単位がタイムスロットであり、前記タイムスロットオフセットが、前記基準信号リソースセットに対応するタイムスロットと基準タイムスロットとの間のオフセットであり、前記基準タイムスロットが、前記ネットワークデバイスによって送信されたトリガ指示が位置するタイムスロットであり、前記トリガ指示が、前記基準信号を受信し、かつ／または測定結果を報告するように、端末デバイスをトリガするために使用される、ステップと、
前記ネットワークデバイスにより、端末デバイスに前記構成情報を送信するステップであって、前記構成情報が、上位レイヤシグナリングの基準信号リソースセット構成内に備えられる、ステップと、
前記ネットワークデバイスにより、前記構成情報によって示された時間周波数リソース上で、前記1つまたは複数の基準信号リソースセットによって示された基準信号を送信するステップと
を備える、基準信号構成方法。
【請求項２】
各基準信号リソースセットのタイムスロットオフセットの最大値が、前記端末デバイスの報告能力値以下である、請求項1に記載の方法。
【請求項３】
前記ネットワークデバイスにより、前記構成情報によって示された時間周波数リソース上で、前記1つまたは複数の基準信号リソースセットによって示された基準信号を送信する前記ステップの前に、前記方法が、
前記ネットワークデバイスにより、前記端末デバイスに前記トリガ指示を送信するステップであって、前記トリガ指示が、前記基準信号を受信し、かつ／または前記測定結果を報告するように、前記端末デバイスに命令するために使用される、ステップ
をさらに備える、請求項1に記載の方法。
【請求項４】
前記ネットワークデバイスにより、前記端末デバイスによって報告された前記測定結果を受信するステップ
であって、前記測定結果が、前記1つまたは複数の基準信号リソースセットによって示された前記基準信号を測定することにより、前記端末デバイスによって取得される、ステップ
をさらに備える、請求項3に記載の方法。
【請求項５】
構成情報を決定するように構成された決定ユニットであって、前記構成情報が1つまたは複数の基準信号リソースセットのタイムスロットオフセットを示すために使用され、前記基準信号リソースセットが少なくとも1つの基準信号リソースを備え、前記基準信号リソースが基準信号構成を示すために使用され、前記基準信号が非周期的なチャネル状態情報基準信号（CSI−RS）であり、前記タイムスロットオフセットの単位がタイムスロットであり、前記タイムスロットオフセットが、前記基準信号リソースセットに対応するタイムスロットと基準タイムスロットとの間のオフセットであり、前記基準タイムスロットが、ネットワークデバイスによって送信されたトリガ指示が位置するタイムスロットであり、前記トリガ指示が、前記基準信号を受信し、かつ／または測定結果を報告するように、端末デバイスをトリガするために使用される、決定ユニットと、
端末デバイスに前記構成情報を送信するように構成された送信ユニットであって、前記構成情報が、上位レイヤシグナリングの基準信号リソースセット構成内に備えられる、送信ユニットと
を備え、
前記送信ユニットが、前記構成情報によって示された時間周波数リソース上で、前記1つまたは複数の基準信号リソースセットによって示された基準信号を送信するようにさらに構成される、
基準信号構成装置。
【請求項６】
各基準信号リソースセットのタイムスロットオフセットの最大値が、前記端末デバイスの報告能力値以下である、請求項5に記載の装置。
【請求項７】
前記送信ユニットが、前記端末デバイスに前記トリガ指示を送信するようにさらに構成され、前記トリガ指示が、前記基準信号を受信し、かつ／または前記測定結果を報告するように、前記端末デバイスに命令するために使用される、
請求項5に記載の装置。
【請求項８】
前記端末デバイスによって報告された前記測定結果を受信するように構成された受信ユニットであって、前記測定結果が、前記1つまたは複数の基準信号リソースセットによって示された前記基準信号を測定することにより、前記端末デバイスによって取得される、受信ユニット
をさらに備える、請求項7に記載の装置。
【請求項９】
端末デバイスにより、ネットワークデバイスから構成情報を受信するステップであって、前記構成情報が1つまたは複数の基準信号リソースセットのタイムスロットオフセットを示すために使用され、前記基準信号リソースセットが少なくとも1つの基準信号リソースを備え、前記基準信号リソースが基準信号構成を示すために使用され、前記基準信号が非周期的なチャネル状態情報基準信号（CSI−RS）であり、前記タイムスロットオフセットの単位がタイムスロットであり、前記タイムスロットオフセットが、前記基準信号リソースセットに対応するタイムスロットと基準タイムスロットとの間のオフセットであり、前記基準タイムスロットが、前記ネットワークデバイスによって送信されたトリガ指示が位置するタイムスロットであり、前記トリガ指示が、前記基準信号を受信し、かつ／または測定結果を報告するように、前記端末デバイスをトリガするために使用され、前記構成情報が、上位レイヤシグナリングの基準信号リソースセット構成内に備えられる、ステップと、
前記端末デバイスにより、前記構成情報によって示された時間周波数リソース上で、前記1つまたは複数の基準信号リソースセットによって示された基準信号を受信するステップと
を備える、基準信号構成方法。
【請求項１０】
各基準信号リソースセットのタイムスロットオフセットの最大値が、前記端末デバイスの報告能力値以下である、請求項9に記載の方法。
【請求項１１】
前記端末デバイスにより、前記構成情報によって示された時間周波数リソース上で、前記1つまたは複数の基準信号リソースセットによって示された基準信号を受信する前記ステップの前に、前記方法が、
前記端末デバイスにより、前記ネットワークデバイスから前記トリガ指示を受信するステップであって、第1の基準信号リソースセットが、前記トリガ指示が位置する前記タイムスロットに対応する、ステップ
をさらに備える、請求項9に記載の方法。
【請求項１２】
前記端末デバイスにより、測定結果を取得するために、前記1つまたは複数の基準信号リソースセットによって示された前記基準信号を測定するステップと、
前記端末デバイスにより、前記ネットワークデバイスに前記測定結果を送信するステップと
をさらに備える、請求項11に記載の方法。
【請求項１３】
ネットワークデバイスから構成情報を受信するように構成された受信ユニットであって、前記構成情報が1つまたは複数の基準信号リソースセットのタイムスロットオフセットを示すために使用され、前記基準信号リソースセットが少なくとも1つの基準信号リソースを備え、前記基準信号リソースが基準信号構成を示すために使用され、前記基準信号が非周期的なチャネル状態情報基準信号（CSI−RS）であり、前記タイムスロットオフセットの単位がタイムスロットであり、前記タイムスロットオフセットが、前記基準信号リソースセットに対応するタイムスロットと基準タイムスロットとの間のオフセットであり、前記基準タイムスロットが、前記ネットワークデバイスによって送信されたトリガ指示が位置するタイムスロットであり、前記トリガ指示が、前記基準信号を受信し、かつ／または測定結果を報告するように、端末デバイスをトリガするために使用され、前記構成情報が、上位レイヤシグナリングの基準信号リソースセット構成内に備えられる、受信ユニット
を備え、
前記受信ユニットが、前記構成情報によって示された時間周波数リソース上で、前記1つまたは複数の基準信号リソースセットによって示された基準信号を受信するようにさらに構成される、
基準信号構成装置。
【請求項１４】
各基準信号リソースセットのタイムスロットオフセットの最大値が、前記構成装置の報告能力値以下である、請求項13に記載の装置。
【請求項１５】
前記受信ユニットが、前記ネットワークデバイスから前記トリガ指示を受信するようにさらに構成され、第1の基準信号リソースセットが、前記トリガ指示が位置する前記タイムスロットに対応する、
請求項13に記載の装置。
【請求項１６】
測定結果を取得するために、前記1つまたは複数の基準信号リソースセットによって示された前記基準信号を測定するように構成された処理ユニットと、
前記ネットワークデバイスに前記測定結果を送信するように構成された送信ユニットと
をさらに備える、請求項15に記載の装置。
【発明の詳細な説明】
【技術分野】
【０００１】
本発明は、通信分野に関し、詳細には、基準信号構成方法および装置に関する。
【背景技術】
【０００２】
NR（新無線、New Radio）通信システムでは、CSI−RSリソースセット（CSI−RS resource set）は、1つまたは複数のCSI−RS（チャネル状態情報基準信号、channel state information CSI−RS）リソースを含む。各CSI−RSリソースは、最大32個のアンテナポート（Antenna Port、AP）に対応する。CSI−RSリソースがビーム測定および報告に使用されるとき、各CSI−RSリソースは2つのアンテナポートに対応する。タイムスロットオフセット（slot offset）は、基地局がCSI−RSトリガ指示を送信するタイムスロットと、CSI−RSが実際に送信されたタイムスロットとの間のオフセットである。現在の解決策では、基地局は非周期的にCSI−RSを送信することができる。この場合、CSI−RSのタイムスロットオフセットはデフォルトで0である。言い換えれば、基地局は、CSI−RSトリガ指示が送信されるタイムスロット内でのみ、CSI−RSを送信することができる（現在のタイムスロット内でトリガし、現在のタイムスロット内で送信もする）。
【０００３】
現在のCSI−RS送信方式は、システム効率を低下させる。たとえば、ビーム測定および報告にCSI−RSが使用されるシナリオでは、タイムスロットが、アナログビームを搬送するCSI−RSを送信するために使用され得る限られた量のOFDM（直交周波数分割多重化、orthogonal frequency division multiplexing）シンボルを含むので、相対的に大量のビームが走査される必要があるとき、複数のCSI−RSリソースセットは、様々なタイムスロット内でそれぞれのCSI−RSを送信するように構成される。この場合、頻繁なトリガおよび頻繁な報告が必要とされる。この構成方法はアップリンクリソースを浪費し、端末デバイスの能力によって制限され、システム効率の低下をもたらす。
【発明の概要】
【課題を解決するための手段】
【０００４】
技術的問題を解決するために、本発明の実施形態は、基準信号構成方法および装置を提供する。ネットワークデバイスが非周期的に基準信号を送信するとき、ネットワークデバイスは、構成情報を使用して、1つまたは複数の送信予定基準信号リソースセットのタイムスロットオフセットを端末デバイスに通知する。したがって、ネットワークデバイスは、様々なタイムスロット内で基準信号を柔軟に送信することができ、それにより、基準信号トリガおよび測定結果報告の回数が削減され、通信システムの効率が向上する。
【０００５】
第1の態様によれば、本出願は、ネットワークデバイスにより、構成情報を決定するステップと、ネットワークデバイスにより、端末デバイスに構成情報を送信するステップと、ネットワークデバイスにより、構成情報によって示された時間周波数リソース上で、1つまたは複数の基準信号リソースセットによって示された基準信号を送信するステップとを含む、基準信号構成方法を提供する。
【０００６】
基準信号リソースセットは少なくとも1つの基準信号リソースを含み、基準信号リソースは基準信号構成を示すために使用される。たとえば、基準信号リソースは、1つまたは複数のパラメータ：アンテナポート番号、時間周波数リソース位置、基準信号の数などを含む。タイムスロットオフセットの単位はタイムスロットである。NRでは、タイムスロットの時間長はサブキャリア間隔に関係する。この実施形態におけるタイムスロットオフセットは、基準信号リソースセットに対応するタイムスロットと、第1の基準信号リソースセットに対応するタイムスロットとの間のオフセットであってもよく、基準信号リソースセットに対応するタイムスロットと、以前の基準信号リソースセットに対応するタイムスロットとの間のオフセットであってもよい。
【０００７】
本発明のこの実施形態では、ネットワークデバイスは、構成情報を送信することにより、端末デバイス向けの1つまたは複数の基準信号リソースセットのタイムスロットオフセットを構成し、その結果、ネットワークデバイスから構成情報およびトリガ指示を受信した後、端末デバイスは、構成情報に基づいて、1つまたは複数の基準信号リソースセットに対応する基準信号の時間領域位置を特定し、次いで、基準信号に基づいて測定を実行することができる。本発明のこの実施形態で提供される解決策によれば、ネットワークデバイスは基準信号を柔軟に送信することができ、それにより、基準信号トリガおよび測定結果報告の回数が削減される。
【０００８】
可能な設計では、構成情報は上位レイヤシグナリングに含まれ、上位レイヤシグナリング内の別個のフィールドが構成情報を示すために使用される。上位レイヤシグナリングは、物理レイヤの上のシグナリングである。たとえば、上位レイヤシグナリングには、RRCシグナリングまたはMAC−CEシグナリングが含まれる。
【０００９】
可能な設計では、構成情報は、上位レイヤシグナリングの「基準信号リソースセット構成」フィールドに含まれる。このフィールドは、「基準信号リソースセット情報」または別の名前で呼ばれる場合もある。構成情報は、1つの基準信号リソースセット情報のタイムスロットオフセットを示すために使用される。
【００１０】
可能な設計では、構成情報は、上位レイヤシグナリングの「基準信号リソース設定構成」フィールドに含まれる。このフィールドは、「基準信号リソース設定情報」または別の名前で呼ばれる場合もある。構成情報は、複数の基準信号リソースセットのタイムスロットオフセットを示すために使用される。
【００１１】
可能な設計では、各タイムスロットオフセットの最大値は、端末デバイスの報告能力値以下である。たとえば、端末デバイスの報告能力値は、最大サブキャリア間隔、最大タイムスロットオフセット値、最大ビットマップ長、および最大スケジュール帯域幅のうちの1つまたは複数を含む。
【００１２】
可能な設計では、構成情報はビットマップを含み、各ビットは1つのタイムスロットに対応する。ビットの値が0であるとき、それは基準信号リソースセットによって示された基準信号がビットに対応するタイムスロット内で送信されることを示し、ビットの値が1であるとき、それは基準信号リソースセットによって示された基準信号がビットに対応するタイムスロット内で送信されないことを示し、またはビットの値が0であるとき、それは基準信号リソースセットによって示された基準信号がビットに対応するタイムスロット内で送信されることを示し、ビットの値が1であるとき、それは基準信号リソースセットによって示された基準信号がビットに対応するタイムスロット内で送信されないことを示す。
【００１３】
たとえば、ビットマップは4の長さを有し、ビットマップは0010であり、ビット値1は、基準信号リソースセットによって示された基準信号が対応するタイムスロット内で送信されることを示し、ビット位置の値0は、基準信号リソースセットによって示された基準信号が対応するタイムスロット内で送信されないことを示す。ネットワークデバイスがタイムスロットn内でトリガ指示を送信する場合、ビットマップ0010の4つのビット位置は、それぞれ、タイムスロットn、タイムスロットn＋1、タイムスロットn＋2、およびタイムスロットn＋3に対応し、ビットマップ内のビット値に基づいて、ネットワークデバイスは、タイムスロットn＋2内でのみ、基準信号リソースセットによって示された基準信号を送信する。
【００１４】
可能な設計では、構成情報は共通タイムスロットオフセットを含み、共通タイムスロットオフセットは、複数の基準信号リソースセット内の2つの隣接する基準信号リソースセット間のタイムスロット距離またはタイムスロット間隔である。第1の基準信号リソースセットは、トリガ指示が送信されるタイムスロットに対応する。トリガ指示は、基準信号を受信し、かつ／または測定結果を報告するように、端末デバイスをトリガするために使用される。
【００１５】
可能な設計では、方法は、ネットワークデバイスにより、端末デバイスにトリガ指示を送信するステップをさらに含み、トリガ指示は、基準信号を受信し、かつ／または測定結果を報告するように、端末デバイスに命令するために使用される。トリガ指示は、代替として、ネットワークデバイスが第1の基準信号リソースセットを送信するタイムスロットを示してもよいことを理解されたい。
【００１６】
前述の説明に基づいて、ネットワークデバイスは、1つのトリガ指示を送信することにより、少なくとも2つのタイムスロット内で送信された基準信号を受信するように端末デバイスをトリガし、それにより、各タイムスロット内でトリガ指示を送信して、基準信号を受信するように端末デバイスをトリガすることが回避され、トリガ指示を送信する回数が削減され、通信システムの相互作用効率が向上する。
【００１７】
可能な設計では、ネットワークデバイスにより、少なくとも2つの異なるタイムスロット内で複数の基準信号リソースセットによって示された基準信号を端末デバイスに送信するステップは、
ネットワークデバイスにより、複数の基準信号リソースセットのインデックス番号の昇順または降順に、少なくとも2つのタイムスロット内で複数の基準信号リソースセットによって示された基準信号を順次送信するステップを含む。
【００１８】
可能な設計では、方法は、ネットワークデバイスにより、端末デバイスから測定結果を受信するステップをさらに含み、測定結果は、少なくとも1つの基準信号リソースセットによって示された基準信号を測定することによって取得される結果を含む。
【００１９】
端末デバイスは、少なくとも2つのタイムスロット内で送信された基準信号を1回だけ測定し、ネットワークデバイスに測定結果を報告し、それにより、各タイムスロット内で基準信号を測定および報告することが回避され、端末デバイスの測定および報告の回数が削減され、通信システムの相互作用効率が向上する。
【００２０】
第2の態様によれば、本出願は、
構成情報を決定するように構成された決定ユニットであって、構成情報が1つまたは複数の基準信号リソースセットのタイムスロットオフセットを示すために使用され、基準信号リソースセットが少なくとも1つの基準信号リソースを含み、基準信号リソースが基準信号構成を示すために使用される、決定ユニットと、
端末デバイスに構成情報を送信するように構成された送信ユニットと
を含み、
送信ユニットは、構成情報によって示された時間周波数リソース上で、1つまたは複数の基準信号リソースセットによって示された基準信号を送信するようにさらに構成される、
基準信号装置を提供する。
【００２１】
可能な設計では、構成情報は、上位レイヤシグナリングの基準信号リソースセット構成に含まれる。
【００２２】
可能な設計では、構成情報は、基準信号リソース設定構成に含まれる。
【００２３】
可能な設計では、構成情報はビットマップを含み、
ビットの値が1であるとき、それは基準信号リソースセットによって示された基準信号がビットに対応するタイムスロット内で送信されることを示し、ビットの値が0であるとき、それは基準信号リソースセットによって示された基準信号がビットに対応するタイムスロット内で送信されないことを示し、または
ビットの値が0であるとき、それは基準信号リソースセットによって示された基準信号がビットに対応するタイムスロット内で送信されることを示し、ビットの値が1であるとき、それは基準信号リソースセットによって示された基準信号がビットに対応するタイムスロット内で送信されないことを示す。
【００２４】
可能な設計では、各基準信号リソースセットのタイムスロットオフセットの最大値は、端末デバイスの報告能力値以下である必要がある。
【００２５】
可能な設計では、構成情報は共通タイムスロットオフセットを含み、共通タイムスロットオフセットは、複数の基準信号リソースセット内の2つの隣接する基準信号リソースセット間のタイムスロット距離である。
【００２６】
可能な設計では、送信ユニットは、端末デバイスにトリガ指示を送信するようにさらに構成され、トリガ指示は、基準信号を受信し、かつ／または測定結果を報告するように、端末デバイスに命令するために使用される。
【００２７】
可能な設計では、送信ユニットは、基準信号リソースセットのインデックス番号の昇順または降順に、少なくとも2つの異なるタイムスロット内で、基準信号リソースセットによって示された基準信号を順次送信する。
【００２８】
可能な設計では、装置は、
端末デバイスによって報告された測定結果を受信するように構成された受信ユニットであって、測定結果は、1つまたは複数の基準信号リソースセットによって示された基準信号を測定することにより、端末デバイスによって取得される、受信ユニット
をさらに含む。
【００２９】
第3の態様によれば、本出願は、
端末デバイスにより、ネットワークデバイスから構成情報を受信するステップであって、構成情報が1つまたは複数の基準信号リソースセットのタイムスロットオフセットを示すために使用され、基準信号リソースセットが少なくとも1つの基準信号リソースを含み、基準信号リソースが基準信号構成を示すために使用される、ステップと、端末デバイスにより、構成情報によって示された時間周波数リソース上で、1つまたは複数の基準信号リソースセットによって示された基準信号を受信するステップと
を含む、基準信号構成方法を提供する。
【００３０】
基準信号リソースセットは少なくとも1つの基準信号リソースを含み、基準信号リソースは基準信号セットを示し、基準信号リソースは基準信号構成を示すために使用される。たとえば、構成は時間周波数リソース情報を含む。タイムスロットオフセットの単位はタイムスロットである。NRでは、タイムスロットの長さはサブキャリア間隔に関係する。この実施形態におけるタイムスロットオフセットは、基準信号リソースセットに対応するタイムスロットと、第1の基準信号リソースセットに対応するタイムスロットとの間のオフセットであってもよく、基準信号リソースセットに対応するタイムスロットと、以前の基準信号リソースセットに対応するタイムスロットとの間のオフセットであってもよい。この実施形態における基準信号は、CSI−RSであってもよく、別の基準信号であってもよい。
【００３１】
可能な設計では、構成情報は上位レイヤシグナリングに含まれ、構成情報を示すように上位レイヤシグナリング内で別個のフィールドが設定される。上位レイヤシグナリングは、物理レイヤの上のシグナリング、たとえば、RRCシグナリングまたはMAC−CEシグナリングである。
【００３２】
可能な設計では、構成情報は、上位レイヤシグナリングの基準信号リソースセット構成に含まれる。
【００３３】
可能な設計では、構成情報は、上位レイヤシグナリングの基準信号リソース設定構成に含まれる。
【００３４】
可能な設計では、構成情報はビットマップを含み、
ビットの値が0であるとき、それは基準信号リソースセットによって示された基準信号がビットに対応するタイムスロット内で送信されることを示し、ビットの値が1であるとき、それは基準信号リソースセットによって示された基準信号がビットに対応するタイムスロット内で送信されないことを示し、または
ビットの値が0であるとき、それは基準信号リソースセットによって示された基準信号がビットに対応するタイムスロット内で送信されることを示し、ビットの値が1であるとき、それは基準信号リソースセットによって示された基準信号がビットに対応するタイムスロット内で送信されないことを示す。
【００３５】
可能な設計では、各基準信号リソースセットのタイムスロットオフセットの最大値は、端末デバイスの報告能力値以下である。
【００３６】
可能な設計では、構成情報は共通タイムスロットオフセットを含み、共通タイムスロットオフセットは、複数の基準信号リソースセット内の2つの隣接する基準信号リソースセット間のタイムスロット距離である。
【００３７】
可能な設計では、端末デバイスにより、構成情報によって示された時間周波数リソース上で、1つまたは複数の基準信号リソースセットによって示された基準信号を受信するステップの前に、方法は、
端末デバイスにより、ネットワークデバイスからトリガ指示を受信するステップであって、第1の基準信号リソースセットが、トリガ指示が位置するタイムスロットに対応する、ステップ
をさらに含む。
【００３８】
可能な設計では、方法は、
端末デバイスにより、測定結果を取得するために、1つまたは複数の基準信号リソースセットによって示された基準信号を測定するステップと、
端末デバイスにより、ネットワークデバイスに測定結果を送信するステップと
をさらに含む。
【００３９】
可能な設計では、特定の時間に送信されるようにトリガされた複数の基準信号リソースセット内に構成された基準信号リソースのインデックス番号は互いに異なり、基準信号リソースのインデックス番号はグローバルインデックス番号であり、対応する報告された測定結果内の任意の基準信号リソースのインデックス番号は一意である。
【００４０】
可能な設計では、特定の時間に送信されるようにトリガされた複数の基準信号リソースセット内に構成された基準信号リソースのインデックス番号はすべてまたは部分的に同じであり、対応する報告された測定結果内の任意の基準信号リソースの測定結果は、基準信号リソースのインデックス番号、および基準信号リソースに対応する基準信号リソースセットのインデックス番号を含む。
【００４１】
第4の態様によれば、本出願は、
ネットワークデバイスから構成情報を受信するように構成された受信ユニットであって、構成情報が1つまたは複数の基準信号リソースセットのタイムスロットオフセットを示すために使用され、基準信号リソースセットが少なくとも1つの基準信号リソースを含み、基準信号リソースが基準信号構成を示すために使用される、受信ユニット
を含み、
受信ユニットは、構成情報によって示された時間周波数リソース上で、1つまたは複数の基準信号リソースセットによって示された基準信号を受信するようにさらに構成される、
基準信号構成装置を提供する。
【００４２】
可能な設計では、構成情報は、上位レイヤシグナリングの基準信号リソース構成に含まれる。
【００４３】
可能な設計では、構成情報は、上位レイヤシグナリングの基準信号ソース設定構成に含まれる。
【００４４】
可能な設計では、構成情報はビットマップを含み、
ビットの値が0であるとき、それは基準信号リソースセットによって示された基準信号がビットに対応するタイムスロット内で送信されることを示し、ビットの値が1であるとき、それは基準信号リソースセットによって示された基準信号がビットに対応するタイムスロット内で送信されないことを示し、またはビットの値が0であるとき、それは基準信号リソースセットによって示された基準信号がビットに対応するタイムスロット内で送信されることを示し、ビットの値が1であるとき、それは基準信号リソースセットによって示された基準信号がビットに対応するタイムスロット内で送信されないことを示す。
【００４５】
可能な設計では、各基準信号リソースセットのタイムスロットオフセットの最大値は、構成装置の報告能力値以下である。
【００４６】
可能な設計では、構成情報は共通タイムスロットオフセットを含み、共通タイムスロットオフセットは、複数の基準信号リソースセット内の2つの隣接する基準信号リソースセット間のタイムスロット距離である。
【００４７】
可能な設計では、受信ユニットは、ネットワークデバイスからトリガ指示を受信するようにさらに構成され、第1の基準信号リソースセットは、トリガ指示が位置するタイムスロットに対応する。
【００４８】
可能な設計では、特定の時間に送信されるようにトリガされた複数の基準信号リソースセット内に構成された基準信号リソースのインデックス番号は互いに異なり、基準信号リソースのインデックス番号はグローバルインデックス番号であり、対応する報告された測定結果内の任意の基準信号リソースのインデックス番号は一意である。
【００４９】
可能な設計では、特定の時間に送信されるようにトリガされた複数の基準信号リソースセット内に構成された基準信号リソースのインデックス番号はすべてまたは部分的に同じであり、対応する報告された測定結果内の任意の基準信号リソースの測定結果は、基準信号リソースのインデックス番号、および基準信号リソースに対応する基準信号リソースセットのインデックス番号を含む。
【００５０】
可能な設計では、装置は、
測定結果を取得するために、1つまたは複数の基準信号リソースセットによって示された基準信号を測定するように構成された処理ユニットと、
ネットワークデバイスに測定結果を送信するように構成された送信ユニットと
をさらに含む。
【００５１】
第5の態様によれば、本出願は、
ネットワークデバイスにより、構成情報を決定するステップと、ネットワークデバイスにより、端末デバイスに構成情報を送信するステップと、ネットワークデバイスにより、構成情報によって示された時間周波数リソース上で、1つまたは複数の基準信号リソースによって示された基準信号を送信するステップと
を含む、基準信号構成方法を提供する。
【００５２】
構成情報は、1つまたは複数の基準信号リソースの時間オフセットを示すために使用される。時間オフセットの単位には、限定はしないが、タイムスロット、OFDMシンボル、またはサブフレームが含まれる。基準信号リソースは、基準信号構成を示すために使用される。たとえば、構成は時間周波数リソース情報を含む。本発明のこの実施形態における時間オフセットは、基準信号リソースに対応する時間領域位置と、第1の基準信号リソースに対応する時間領域位置との間のオフセットであってもよく、基準信号リソースに対応する時間領域位置と、以前の基準信号リソースに対応する時間領域位置との間のオフセットであってもよい。基準信号は、CSI−RSであってもよく、別の基準信号であってもよい。
【００５３】
可能な設計では、1つまたは複数の基準信号リソースは同じ基準信号リソースセットに属し、1つまたは複数の基準信号リソースは複数のグループに分類され、基準信号リソースの各グループは同じ時間オフセット値を有し、基準信号リソースの異なるグループは異なる時間オフセットを有する。
【００５４】
可能な設計では、構成情報は、上位レイヤシグナリングの基準信号リソース構成に含まれる。基準信号リソース構成は、基準信号リソースの構成を示すために使用され、構成は、基準信号の数、基準信号のアンテナポート番号、および時間周波数リソースインデックスのうちの1つまたは複数を含むが、それらに限定されない。
【００５５】
可能な設計では、1つまたは複数の基準信号リソースは同じタイムスロットに対応し、すべての基準信号リソースは同じ時間オフセットを有する。
【００５６】
第6の態様によれば、本出願は、
構成情報を決定するように構成された決定ユニットと、端末デバイスに構成情報を送信するように構成された送信ユニットと
を含み、送信ユニットは、構成情報によって示された時間周波数リソース上で、1つまたは複数の基準信号リソースによって示された基準信号を送信するようにさらに構成される、
基準信号構成装置を提供する。
【００５７】
構成情報は、1つまたは複数の基準信号リソースの時間オフセットを示すために使用される。時間オフセットの単位には、限定はしないが、タイムスロット、OFDMシンボル、またはサブフレームが含まれる。基準信号リソースは基準信号構成を示すために使用され、構成は時間周波数リソース情報を含む。本発明のこの実施形態における時間オフセットは、基準信号リソースに対応する時間領域位置と、第1の基準信号リソースに対応する時間領域位置との間のオフセットであってもよく、基準信号リソースに対応する時間領域位置と、以前の基準信号リソースに対応する時間領域位置との間のオフセットであってもよい。基準信号は、CSI−RSであってもよく、別の基準信号であってもよい。
【００５８】
可能な設計では、1つまたは複数の基準信号リソースは同じ基準信号リソースセットに属し、1つまたは複数の基準信号リソースは複数のグループに分類され、基準信号リソースの各グループは同じ時間オフセット値を有し、基準信号リソースの異なるグループは異なる時間オフセットを有する。
【００５９】
可能な設計では、構成情報は、上位レイヤシグナリングの基準信号リソース構成に含まれる。基準信号リソース構成は、基準信号リソースの構成を示すために使用され、構成は、基準信号の数、基準信号のアンテナポート番号、および時間周波数リソースインデックスのうちの1つまたは複数を含むが、それらに限定されない。
【００６０】
可能な設計では、1つまたは複数の基準信号リソースは同じタイムスロットに対応し、すべての基準信号リソースは同じ時間オフセットを有する。
【００６１】
第7の態様によれば、本出願は、
端末デバイスにより、ネットワークデバイスから構成情報を受信するステップであって、構成情報が1つまたは複数の基準信号リソースの時間オフセットを示すために使用され、基準信号リソースが基準信号構成を示すために使用される、ステップと、端末デバイスにより、構成情報によって示された時間周波数リソース上で、ネットワークデバイスからの基準信号であり、1つまたは複数の基準信号リソースによって示された基準信号を受信するステップと
を含む、基準信号構成方法を提供する。
【００６２】
可能な設計では、1つまたは複数の基準信号リソースは同じ基準信号リソースセットに属し、1つまたは複数の基準信号リソースは複数のグループに分類され、基準信号リソースの各グループは同じ時間オフセット値を有し、基準信号リソースの異なるグループは異なる時間オフセットを有する。
【００６３】
可能な設計では、構成情報は、上位レイヤシグナリングの基準信号リソース構成に含まれる。基準信号リソース構成は、基準信号リソースの構成を示すために使用され、構成は、基準信号の数、基準信号のアンテナポート番号、および時間周波数リソースインデックスのうちの1つまたは複数を含むが、それらに限定されない。
【００６４】
可能な設計では、1つまたは複数の基準信号リソースは同じタイムスロットに対応し、すべての基準信号リソースは同じ時間オフセットを有する。
【００６５】
第8の態様によれば、本出願は、
ネットワークデバイスから構成情報を受信するように構成された受信ユニットであって、構成情報が1つまたは複数の基準信号リソースの時間オフセットを示すために使用され、基準信号リソースが基準信号構成を示すために使用される、受信ユニットを含み、受信ユニットは、構成情報によって示された時間周波数リソース上で、ネットワークデバイスからの基準信号であり、1つまたは複数の基準信号リソースによって示された基準信号を受信するようにさらに構成される、
基準信号構成装置を提供する。
【００６６】
可能な設計では、1つまたは複数の基準信号リソースは同じ基準信号リソースセットに属し、1つまたは複数の基準信号リソースは複数のグループに分類され、基準信号リソースの各グループは同じ時間オフセット値を有し、基準信号リソースの異なるグループは異なる時間オフセットを有する。
【００６７】
可能な設計では、構成情報は、上位レイヤシグナリングの基準信号リソース構成に含まれる。基準信号リソース構成は、基準信号リソースの構成を示すために使用され、構成は、基準信号の数、基準信号のアンテナポート番号、および時間周波数リソースインデックスのうちの1つまたは複数を含むが、それらに限定されない。
【００６８】
可能な設計では、1つまたは複数の基準信号リソースは同じタイムスロットに対応し、すべての基準信号リソースは同じ時間オフセットを有する。
【００６９】
本出願の別の態様は基準信号構成装置を開示し、構成装置は、受信機、送信機、メモリ、およびプロセッサを含み、メモリは一組のプログラムコードを記憶し、プロセッサは、前述の態様の基準信号構成方法を実行するために、メモリに記憶されたプログラムコードを呼び出すように構成される。
【００７０】
同じ発明概念に基づいて、装置の問題解決原理および有益な効果については、端末デバイスの前述の可能な方法実装形態およびもたらされる有益な効果を参照されたい。したがって、装置の実装形態については、方法の実装形態を参照し、詳細は本明細書では繰り返さない。
【００７１】
本出願の別の態様はコンピュータ可読記憶媒体を提供し、コンピュータ可読記憶媒体は命令を記憶し、コンピュータ可読記憶媒体がコンピュータ上で動作するとき、コンピュータは前述の態様の方法を実行する。
【００７２】
本出願の別の態様は命令を含むコンピュータプログラム製品を提供し、コンピュータプログラム製品がコンピュータ上で動作するとき、コンピュータは前述の態様の方法を実行する。
【００７３】
本発明または背景技術の実施形態における技術的解決策をより明確に記載するために、以下で、本発明または背景技術の実施形態を記載するために必要とされる添付図面を簡単に記載する。
【図面の簡単な説明】
【００７４】
【図１】本発明の一実施形態による、システムアーキテクチャの概略図である。
【図２ａ】本発明の一実施形態による、基準信号構成方法の概略フローチャートである。
【図２ｂ】本発明の一実施形態による、タイムスロットオフセットの概略指示図である。
【図２ｃ】本発明の一実施形態による、別のタイムスロットオフセットの概略指示図である。
【図２ｄ】本発明の一実施形態による、別のタイムスロットオフセットの概略指示図である。
【図２ｅ】本発明の一実施形態による、別のタイムスロットオフセットの概略指示図である。
【図３】本発明の一実施形態による、基準信号構成方法の別の概略フローチャートである。
【図４】本発明の一実施形態による、基準信号構成装置の概略構造図である。
【図５】本発明の一実施形態による、基準信号構成装置の別の概略構造図である。
【図６】本発明の一実施形態による、基準信号構成装置の別の概略構造図である。
【発明を実施するための形態】
【００７５】
本出願の実施形態は、ワイヤレス通信システムに適用されてもよい。本出願の実施形態で言及される無線通信システムには、限定ではないが、狭帯域モノのインターネット（Narrow Band−Internet of Things、NB−IoT）、モバイル通信用グローバルシステム（Global System for Mobile Communications、GSM(登録商標)）、GSM(登録商標)エボリューション用拡張データレート（Enhanced Data rates for GSM(登録商標) Evolution、EDGE）システム、広帯域符号分割多元接続（Wideband Code Division Multiple Access、WCDMA(登録商標)）システム、符号分割多元アドレス2000（Code Division Multiple Access、CDMA2000）システム、時分割同期符号分割多元接続（Time Division−Synchronization Code Division Multiple Access、TD−SCDMA）システム、ロングタームエボリューション（Long Term Evolution、LTE）システム、NR（新無線、New Radio）通信システム、ならびに次世代5Gモバイル通信システムの3つの主要アプリケーションシナリオ：拡張モバイルブロードバンド（Enhanced Mobile Broad Band、eMBB）、URLLC、および大規模機械型通信（Massive Machine Type Communications、mMTC）が含まれることに留意されたい。
【００７６】
本出願の実施形態では、端末デバイス（terminal device）には、限定ではないが、移動局（MS、Mobile Station）、モバイル端末デバイス（Mobile Terminal）、携帯電話（Mobile Telephone）、ハンドセット（handset）、ポータブル機器（portable equipment）などが含まれる。端末デバイスは、無線アクセスネットワーク（RAN、Radio Access Network）を介して、1つまたは複数のコアネットワークと通信することができる。たとえば、端末デバイスは、携帯電話（もしくは「セルラー」フォンと呼ばれる）またはワイヤレス通信機能を有するコンピュータであってもよく、あるいは端末デバイスは、ポータブル、ポケットサイズ、ハンドヘルドのコンピュータ内蔵型、または車載のモバイル装置またはモバイルデバイスであってもよい。
【００７７】
図1は、本出願による通信システムの概略アーキテクチャ図である。
【００７８】
図1に示されたように、通信システム01は、ネットワークデバイス101および端末デバイス102を含む。通信システム01がコアネットワークを含むとき、ネットワークデバイス101はコアネットワークにさらに接続されてもよい。ネットワークデバイス101は、インターネットプロトコル（Internet Protocol、IP）ネットワーク200、たとえば、インターネット（internet）、プライベートIPネットワーク、または別のデータネットワークとさらに通信することができる。ネットワークデバイスは、カバレッジ内の端末デバイスにサービスを提供する。たとえば、図1を参照すると、ネットワークデバイス101は、ネットワークデバイス101のカバレッジ内の1つまたは複数の端末デバイスにワイヤレスアクセスを提供する。加えて、ネットワークデバイスは、互いとさらに通信することができる。
【００７９】
ネットワークデバイス101は、端末デバイスと通信するように構成されたデバイスであってもよい。たとえば、ネットワークデバイスは、GSM(登録商標)システムまたはCDMAシステムにおけるトランシーバ基地局（Base Transceiver Station、BTS）であってもよく、WCDMA(登録商標)システムにおけるノードB（NodeB、NB）であってもよく、LTEシステムにおける発展型ノードB（Evolved NodeB、eNBまたはeNodeB）であってもよく、将来の5Gネットワークにおけるネットワーク側デバイスであってもよい。あるいは、ネットワークデバイスは、中継局、アクセスポイント、車載デバイスなどであってもよい。あるいは、デバイス間（Device to Device、D2D）通信システムでは、ネットワークデバイスは、基地局として機能する端末デバイスであってもよい。端末デバイスには、様々なハンドヘルドデバイス、車載デバイス、ウェアラブルデバイス、およびワイヤレス通信機能を有するコンピューティングデバイスまたはワイヤレスモデムに接続された別の処理デバイス、様々な形態のユーザ機器（user equipment、UE）、移動局（mobile station、MS）などが含まれてもよい。
【００８０】
図2aを参照すると、図2aは、本発明の一実施形態による基準信号構成方法を示す。方法は、以下のステップを含むが、それらに限定されない。
【００８１】
S201．ネットワークデバイスが構成情報を決定する。
【００８２】
具体的には、構成情報は、1つまたは複数の基準信号リソースセットのタイムスロットオフセットを示すために使用される。タイムスロットオフセットは、伝送タイムスロットオフセット、送信タイムスロットオフセット、または別の名前で呼ばれる場合もある。このことは本発明では限定されない。基準信号リソースセットは少なくとも1つの基準信号リソースを含み、基準信号リソースは基準信号構成を示すために使用され、構成は時間周波数リソース情報を含む。
【００８３】
この実施形態におけるタイムスロットオフセットの単位は、タイムスロット（slot）である。タイムスロットオフセットは、基準タイムスロットに対するオフセットである。基準タイムスロットは、ネットワークデバイスによって送信されたトリガ指示が位置するタイムスロットであってもよく、端末デバイスがトリガ指示を受信するタイムスロットであってもよい。言い換えれば、時間オフセットは、基準信号リソースセットに対応するタイムスロットと基準タイムスロットとの間のオフセットである。トリガ指示は、基準信号を受信し、かつ／または測定結果を報告するように、端末デバイスをトリガするために使用される。場合によっては、タイムスロットオフセットは、代替として、基準信号リソースセットに対応するタイムスロットと、以前の基準信号リソースセットに対応するタイムスロットとの間のオフセットであってもよい。本発明のこの実施形態では、ネットワークデバイスは非周期的に基準信号を送信する。基準信号は、CSI−RSであってもよく、別の基準信号であってもよい。このことはこの実施形態では限定されない。
【００８４】
基準信号リソースのタイムスロットオフセットは特定の値の範囲を有し、タイムスロットオフセットの最大値は端末デバイスの報告能力値に関係してもよい。端末デバイスの場合、トリガ指示が受信されたときから基準信号が実際に受信され測定されるときまでの最大遅延は端末能力を表すことができ、端末能力は、具体的に、タイムスロットオフセットの最大値、非周期的CSI−RSのタイムスロットオフセットの最大値、タイムスロットオフセットビットマップの最大長、非周期的CSI−RSの最大待ち遅延、非周期的CSI−RSの時間範囲などとして具現化されてもよい。一実装形態では、タイムスロットオフセットの最大値は、端末デバイスが報告する関連能力値以下である。場合によっては、タイムスロットオフセットの最大値は、代替として、ネットワークデバイスによって事前構成されるか、または端末デバイスにあらかじめ記憶された値であってもよい。具体的な値は限定されない。
【００８５】
構成情報は、上位レイヤシグナリングを介して端末デバイスに送信される。上位レイヤシグナリングは、物理レイヤの上のシグナリングである。たとえば、上位レイヤシグナリングには、RRC（無線リソース制御、Radio Resource Control）シグナリング、またはMAC−CE（媒体アクセス制御−制御要素、Media Access Control−control element）シグナリングが含まれる。特に断りのない限り、以下の例としてRRCシグナリングが使用される。
【００８６】
可能な実装形態では、構成情報は、上位レイヤシグナリングの「基準信号リソースセット構成」フィールドに含まれる。このフィールドは、基準信号リソースセット情報または別の名前で呼ばれる場合もある。基準信号リソースセット構成は、基準信号リソースセットの構成を示すために使用され、構成は、基準信号リソースのインデックス番号、リソース繰り返し情報などを含むが、それらに限定されない。場合によっては、この実施形態では、構成情報は数値である。この実施形態では、各基準信号リソースセット内の構成情報は別々に構成され、現在の基準信号リソースセットのタイムスロットオフセットを示すために使用される。
【００８７】
たとえば、図2bを参照すると、基準信号はCSI−RSであり、構成情報はタイムスロットオフセットによって表される。ネットワークデバイスは、4つのCSI−RSリソースセット：CSI−RSリソースセットk、CSI−RSリソースセットk＋1、CSI−RSリソースセットk＋2、およびCSI−RSリソースセットk＋3を構成する。この場合、ネットワークデバイスは、CSI−RSリソースセットごとに1つのタイムスロットオフセットを構成する。CSI−RSリソースセットkのタイムスロットオフセットは0であり、CSI−RSリソースセットk＋1のタイムスロットオフセットは1であり、CSI−RSリソースセットk＋2のタイムスロットオフセットは2であり、CSI−RSリソースセットk＋3のタイムスロットオフセットは3である。端末デバイスがタイムスロットnでCSI−RSトリガ指示を受信すると仮定すると、端末デバイスは、上位レイヤシグナリングによって受信された構成情報に基づいて、現在のタイムスロットでCSI−RSリソースセットkが受信され、タイムスロットn＋1でCSI−RSリソースセットk＋1が受信され、タイムスロットn＋2でCSI−RSリソースセットk＋2が受信され、タイムスロットn＋3でCSI−RSリソースセットk＋3が受信されたことを知る。
【００８８】
別の可能な実装形態では、構成情報は、上位レイヤシグナリングの基準信号リソース設定構成フィールドに含まれる。このフィールドは、基準信号リソース設定情報または別の名前で呼ばれる場合もある。基準信号リソース設定構成は、複数の基準信号リソースセットの構成を示すために使用され、構成は時間周波数リソース情報を含むが、それに限定されない。現在の構成方式では、構成情報は以下の4つの実装形態をもつことができる。
【００８９】
実施形態a：構成情報はビットマップを含み、各ビットは1つのタイムスロットに対応し、第1のビットはトリガ指示が位置するタイムスロットに対応する。ビットの値が1であるとき、それは基準信号リソースセットによって示された基準信号がビットに対応するタイムスロット内で送信されることを示し、ビットの値が0であるとき、それは基準信号リソースセットによって示された基準信号がビットに対応するタイムスロット内で送信されないことを示し、またはビットの値が0であるとき、それは基準信号リソースセットによって示された基準信号がビットに対応するタイムスロット内で送信されることを示し、ビットの値が1であるとき、それは基準信号リソースセットによって示された基準信号がビットに対応するタイムスロット内で送信されないことを示す。
【００９０】
具体的には、ビットマップ内の第1のビットはトリガ指示が位置するタイムスロットに対応し、ビットマップは複数の連続するビットに対応する。場合によっては、構成情報はビットマップ長をさらに含む。端末デバイスは、構成情報に基づいてビットマップ長を取得する。ビットマップの最大長は、端末の関連する報告能力以下である。
【００９１】
たとえば、図2cを参照すると、基準信号はCSI−RSであり、ビットマップ長は4であり、ネットワークデバイスによって構成されたビットマップは1010であり、ビット値1は、CSI−RSリソースセットによって示された基準信号が送信されることを示し、ビット値0は、CSI−RSリソースセットによって示された基準信号が送信されないことを示す。トリガ指示が位置するタイムスロットはタイムスロットnである。ビットマップ内の4ビットは、それぞれ、タイムスロットn、タイムスロットn＋1、タイムスロットn＋2、およびタイムスロットn＋3に対応する。ビットマップ内のビット値に基づいて、タイムスロットnでCSI−RSリソースセットkによって示されたCSI−RSが送信され、タイムスロットn＋1でCSI−RSリソースセットによって示されたCSI−RSが送信されず、タイムスロットn＋2でCSI−RSリソースセットk＋1によって示されたCSI−RSが送信され、タイムスロットn＋3でCSI−RSリソースセットによって示されたCSI−RSが送信されないことが分かる。
【００９２】
実施形態b：構成情報は共通タイムスロットオフセットを含み、共通タイムスロットオフセットは、複数の基準信号リソースセット内の2つの隣接する基準信号リソースセット間のタイムスロットオフセットであり、第1の基準信号リソースセットのタイムスロットは、トリガ指示が位置するタイムスロットである。場合によっては、構成情報は基準信号リソースセットの数をさらに含み、端末デバイスは、構成情報に基づいて基準信号リソースセットの数を知る。あるいは、基準信号リソースセットの数は、現在の基準信号リソース設定内のすべての構成された基準信号リソースセットの数に等しいか、または基準信号リソースセットの数は、現在の基準信号リソース設定内のすべてのトリガされた基準信号リソースセットの数に等しい。
【００９３】
たとえば、図2dを参照すると、基準信号はCSI−RSであり、共通タイムスロットオフセットは2であり、構成予定基準信号リソースセットの数は3であり、トリガ指示が位置するタイムスロットはタイムスロットnである。共通タイムスロットオフセット2に基づいて、タイムスロットnでCSI−RSリソースセットkによって示されたCSI−RSが送信され、タイムスロットn＋2でCSI−RSリソースセットk＋1によって示されたCSI−RSが送信され、タイムスロットn＋4でCSI−RSリソースセットk＋2によって示されたCSI−RSが送信される。
【００９４】
実施形態c：構成情報は差分タイムスロットオフセットを含み、差分タイムスロットオフセットは、複数の基準信号リソースセット内の2つの隣接する基準信号リソースセット間のタイムスロットオフセットであり、第1の基準信号リソースセットのタイムスロットと、トリガ指示が位置するタイムスロットとの間のタイムスロット距離またはタイムスロット間隔は、差分タイムスロットオフセットに等しい。場合によっては、構成情報は基準信号リソースセットの数をさらに含み、端末デバイスは、構成情報に基づいて基準信号リソースセットの数を知る。あるいは、基準信号リソースセットの数は、現在の基準信号リソース設定内のすべての構成された基準信号リソースセットの数に等しいか、または基準信号リソースセットの数は、現在の基準信号リソース設定内のすべてのトリガされた基準信号リソースセットの数に等しい。
【００９５】
たとえば、図2eを参照すると、基準信号はCSI−RSであり、差分タイムスロットオフセットは2であり、構成予定基準信号リソースセットの数は3であり、トリガ指示が位置するタイムスロットはタイムスロットnである。差分タイムスロットオフセット2に基づいて、タイムスロットn＋2でCSI−RSリソースセットkによって示されたCSI−RSが送信され、タイムスロットn＋4でCSI−RSリソースセットk＋1によって示されたCSI−RSが送信される。
【００９６】
実施形態d：構成情報は論理判定情報（boolean）を含む。論理判定情報が真であるとき、ネットワークデバイスは、事前設定された時間オフセットに基づいて、1つもしくは複数の基準信号リソースセットによって示された基準信号を送信し、または論理判定情報が偽であるとき、ネットワークデバイスは、事前設定された時間オフセットに基づいて、1つもしくは複数の基準信号リソースセットによって示された基準信号を送信する。
【００９７】
具体的には、時間オフセットはあらかじめ記憶された値または事前構成された値である。この実施形態における時間オフセットは、基準信号リソースセットに対応するタイムスロットと基準タイムスロットとの間のオフセットであってもよく、基準タイムスロットはトリガ指示が位置するタイムスロットであり、または基準信号リソースセットに対応するタイムスロットと、以前の基準信号リソースセットに対応するタイムスロットとの間のオフセットであってもよい。時間オフセット指示方式については、実施形態aのビットマップ方式、実施形態bの共通オフセット値方式、実施形態cの差分オフセット値方式、または別の方式を参照されたい。このことはこの実施形態では限定されない。
【００９８】
前述の実施形態a〜dでは、構成情報は、通常、複数の基準信号リソースセットのタイムスロット位置を示すために使用される。この場合、ネットワークデバイスおよび端末デバイスは、複数の基準信号リソースセットの実際の送信シーケンスについて合意する必要がある。可能な送信シーケンスは、構成情報によって示された複数の基準信号リソースセットのインデックス番号の昇順または降順に、複数の基準信号リソースセットを順次送信することである。
【００９９】
たとえば、ネットワークデバイスは同時に3つのCSI−RSリソースセットをトリガし、3つのCSI−RSリソースセットのインデックス番号は、それぞれ、2、5、および8である。3つのCSI−RSリソースセットのインデックス番号の昇順にCSI−RSが送信されるとき、CSI−RS送信シーケンスは、CSI−RSリソースセット2によって示されたCSI−RS、CSI−RSリソースセット5によって示されたCSI−RS、そしてCSI−RSリソースセット8によって示されたCSI−RSである。CSI−RSリソースセットのインデックス番号の降順に基準信号が送信されるとき、CSI−RS送信シーケンスは、CSI−RSリソースセット8によって示されたCSI−RS、CSI−RSリソースセット5によって示されたCSI−RS、そしてCSI−RSリソースセット2によって示されたCSI−RSである。
【０１００】
さらに可能な実装形態では、構成情報は、上位レイヤシグナリングの別個のフィールド内に構成される。構成情報は、実施形態aのビットマップ、実施形態bの共通タイムスロットオフセット、実施形態cの差分オフセット値、または実施形態dの論理判定情報であってもよい。前述の実施形態では、構成情報の機能範囲が、1つの基準信号リソース設定構成に関連付けられた1つまたは複数の基準信号リソースセットにのみ限定されるが、この実施形態では、構成情報の機能範囲が、複数の基準信号リソース設定構成に関連付けられた複数の基準信号リソースセットをカバーすることができる点に違いがある。
【０１０１】
別の可能な実装形態では、ネットワークデバイスが端末デバイスに構成情報を送信した後、方法は、ネットワークデバイスが、端末デバイスにトリガ指示を送信することをさらに含み、トリガ指示は、基準信号を受信し、かつ／または測定結果を報告するように、端末デバイスをトリガするために使用される。
【０１０２】
具体的には、トリガ指示が位置するタイムスロットは、第1の基準信号リソースセットに対応するタイムスロットであり、トリガ指示は、DCI（ダウンリンク制御情報、downlink control information）もしくはMAC CEシグナリングを使用して送信されるか、または他のシグナリングを使用して送信されてもよい。このことはこの実施形態では限定されない。ネットワークデバイスは、構成情報によって示されたタイムスロットオフセットに基づいて、少なくとも2つのタイムスロット内で基準信号を送信することができる。タイムスロット内の基準信号リソースセットの時間領域位置は、ネットワークデバイスによって構成され、端末デバイスに通知されてもよく、またはネットワークデバイスおよび端末デバイスは、タイムスロット内の基準信号リソースセットの時間領域位置をあらかじめ記憶するか、もしくは事前構成し、ネットワークデバイスは通知を実行する必要はないことに留意されたい。このようにして、ネットワークデバイスは、基準信号リソースセットごとにトリガ命令を頻繁に送信する必要なしに、複数の基準信号リソースセットによって示された基準信号を一度トリガすることにより、少なくとも2つの異なるタイムスロット内で送信することができ、それにより、トリガの回数が削減され、通信システムの相互作用効率が向上し、シグナリングリソース消費が低減される。加えて、CSI−RSが非周期的に送信されるとき、トリガ指示は測定報告をさらにトリガすることができる。したがって、頻繁かつ不要な報告が回避され、トリガの回数が削減される。
【０１０３】
可能な実装形態では、ネットワークデバイスは、端末デバイスによって報告された測定結果を受信し、測定結果は、1つまたは複数の基準信号リソースセットによって示された基準信号を測定することにより、端末デバイスによって取得される。
【０１０４】
基準信号がCSI−RSであるとき、測定結果は、CQI（Channel Quality Indicator、チャネル品質インジケータ）、RI（rank indication、ランク指示）、およびPMI（Precoding Matrix Indicator、プリコーディングマトリクスインジケータ）のうちの少なくとも1つを含む。ビーム測定および報告の間、測定結果は、CRI（CSI−RS resource indicator、CSI−RSリソースインジケータ）、L1−RSRP（Layer 1−Reference Signal Received Power、レイヤ1基準信号受信電力）などをさらに含んでもよい。
【０１０５】
端末デバイスは、1つまたは複数の基準信号リソースセットによって示された基準信号を測定し、トリガ指示に基づいて、報告される必要がある測定結果を一度にネットワークデバイスに報告し、それにより、各タイムスロット内の基準信号に対する測定および報告が回避され、端末デバイスの測定および報告の回数が削減され、通信システムの相互作用効率が向上する。
【０１０６】
S202．ネットワークデバイスが端末デバイスに構成情報を送信し、端末デバイスはネットワークデバイスによって送信された構成情報を受信する。
【０１０７】
構成情報は、上位レイヤシグナリングに含まれてもよく、上位レイヤシグナリングの基準信号リソースセット構成に含まれてもよく、上位レイヤシグナリングの基準信号リソース設定構成に含まれてもよい。構成情報指示方法については、S201の説明を参照し、詳細は本明細書では再び記載されない。
【０１０８】
S203．ネットワークデバイスが、構成情報によって示された時間周波数リソース上で、1つまたは複数の基準信号リソースセットによって示された基準信号を送信し、端末デバイスはネットワークデバイスから基準信号を受信する。
【０１０９】
具体的には、端末デバイスは、構成情報の指示に基づいて、1つまたは複数の基準信号リソースセットのタイムスロットオフセットを特定する。構成情報内で、1つまたは複数の基準信号リソースセットの時間オフセットを示す方法については、S201の説明を参照し、詳細は本明細書では再び記載されない。端末デバイスは、ネットワークデバイスからトリガ指示を受信し、トリガ指示が位置するタイムスロットおよび構成情報に基づいて、1つまたは複数の基準信号リソースセットに対応する基準信号が送信されるタイムスロットを特定する。端末デバイスは、特定されたタイムスロット内で基準信号を受信し、基準信号に基づいて測定を実行する。
【０１１０】
このようにして、端末デバイスは、基準信号リソースセットごとに1回受信を実行する必要なしに、異なるタイムスロット内で送信され、基準信号リソースセットによって示された複数の基準信号を一度に受信することができ、それにより、受信の回数が削減され、通信システムの相互作用効率が向上し、シグナリングリソース消費が低減される。
【０１１１】
別の可能な実装形態では、方法は、端末デバイスが、測定結果を取得するために、ネットワークデバイスによって送信され、1つまたは複数の基準信号リソースセットによって示された基準信号を測定し、端末デバイスがネットワークデバイスに測定結果を送信することをさらに含む。
【０１１２】
具体的には、いくつかのシナリオ、たとえば、ビーム測定および報告では、端末デバイスが基準信号リソースセットによって示された基準信号を測定するとき、基準信号リソースセットは少なくとも1つの基準信号リソースを含み、端末デバイスは、基準信号リソースセット内のすべての基準信号リソースの測定結果を報告せずに、信号品質が最も良い最初のn個の基準信号リソースによって示された基準信号の測定結果のみを報告してもよく、nは1より大きい整数である。信号品質には、限定はしないが、RSSI（Received Signal Strength Indication、受信信号強度インジケータ）、RSRQ（Reference Signal Receiving Quality、基準信号受信品質）、およびRSRP（Reference Signal Receiving Power、基準信号受信強度）のうちの少なくとも1つが含まれる。
【０１１３】
たとえば、CSI−RSリソースセットは、16個のCSI−RSリソース：CSI−RSリソース0〜CSI−RSリソース15を含む。端末デバイスは、16個のCSI−RSリソースによってそれぞれ示されたCSI−RSを測定し、端末デバイスは、信号品質が最も良い最初の4つのCSI−RSリソースを決定する。信号品質が最も良い最初の4つのCSI−RSリソースがCSI−RSリソース2、CSI−RSリソース5、CSI−RSリソース8、およびCSI−RSリソース13であると仮定すると、端末デバイスは、信号品質が最も良い最初の4つのCSI−RSリソースの測定結果をネットワークデバイスに報告する。
【０１１４】
前述の実施形態では、端末デバイスは、1つまたは複数の基準信号リソースセットによって示された基準信号を一度に測定し、ネットワークデバイスに測定結果を報告し、それにより、各タイムスロット内の基準信号に対する測定および報告が回避され、端末デバイスの測定および報告の回数が削減され、通信システムの相互作用効率が向上する。
【０１１５】
複数のCSI−RSリソースセットによって示されたCSI−RSの測定結果が、たとえば、ビーム測定結果報告中に一度に報告されるとき、以下の2つの実装形態が存在してもよいことに留意されたい。
【０１１６】
方式1：複数のCSI−RSリソースセット内に構成されたCSI−RSリソースのCSI−RSリソースインデックス番号が互いに異なる。この場合、報告された測定結果はCSI−RSリソースインデックス番号を含み、ネットワークデバイスは、CSI−RSリソースインデックス番号に一意に対応する測定結果情報を知ることができる。
【０１１７】
たとえば、3つのCSI−RSリソースセットの測定結果が報告される予定であり、3つのCSI−RSリソースセットは、それぞれCSI−RSリソースセット1、CSI−RSリソースセット2、およびCSI−RSリソースセット3であり、各CSI−RSリソースセットは8個のCSI−RSを含み、3つのCSI−RSリソースセット内のCSI−RSリソースのインデックス番号は互いに異なり、CSI−RSリソースは全体的に番号付けされる。CSI−RSリソースセット内のCSI−RSリソースのインデックス番号が0〜7であり、CSI−RSリソースセット2内のCSI−RSリソースのインデックス番号が8〜15であり、CSI−RSリソースセット3内のCSI−RSリソースのインデックス番号が16〜23であると仮定する。端末デバイスがネットワークデバイスに測定結果を報告するとき、任意の報告されたCSI−RSリソースインデックス番号は、現在の測定報告内で一意である。
【０１１８】
方式2：複数のCSI−RSリソースセット内に構成されたCSI−RSリソースのCSI−RSリソースインデックス番号のすべてまたは一部が同じである。この場合、報告された測定結果は、CSI−RSリソースのインデックス番号およびCSI−RSリソースが含まれるCSI−RSリソースセットの補助情報を含む。補助情報には、限定はしないが、CSI−RSリソースセットのインデックス番号、CSI−RSリソースセットに対応するタイムスロットインデックス番号、またはCSI−RSリソースセットに対応する別の時間識別子が含まれる。
【０１１９】
たとえば、3つのCSI−RSリソースセットの測定結果が報告される予定であり、3つのCSI−RSリソースセットは、それぞれCSI−RSリソースセット1、CSI−RSリソースセット2、およびCSI−RSリソースセット3であり、各CSI−RSリソースセットは8個のCSI−RSを含み、3つのCSI−RSリソースセット内のCSI−RSリソースのインデックス番号は別個に番号付けされ、CSI−RSリソースセットは同じCSI−RSリソースインデックス番号を含む。CSI−RSリソースセット内のCSI−RSリソースのインデックス番号が0〜7であり、CSI−RSリソースセット2内のCSI−RSリソースのインデックス番号が0〜7であり、CSI−RSリソースセット3内のCSI−RSリソースのインデックス番号が0〜7であると仮定する。端末デバイスがネットワークデバイスに測定結果を報告するとき、端末デバイスは、特定のCSI−RSリソースセットのインデックス番号またはCSI−RSリソースセットに対応する時間識別子を報告し、CSI−RSリソースセット内のCSI−RSリソースのインデックス番号を報告して、現在の測定報告内で特定のCSI−RSリソースが一意であることを保証する必要がある。
【０１２０】
図3を参照すると、図3は、本発明の一実施形態による、基準信号構成方法の別の概略フローチャートである。本発明のこの実施形態では、方法は以下のステップを含む。
【０１２１】
S301．ネットワークデバイスが構成情報を決定する。
【０１２２】
具体的には、構成情報は、1つまたは複数の基準信号リソースの時間オフセットを示すために使用される。
【０１２３】
場合によっては、構成情報は、上位レイヤシグナリングの基準信号リソース構成フィールドに含まれる。このフィールドは、基準信号リソース情報フィールドまたは別の名前で呼ばれる場合もある。基準信号リソース構成は基準信号リソースの構成を示す。たとえば、構成は時間周波数リソース情報を含む。この実施形態における時間オフセットは、基準信号リソースに対応する時間領域位置と、トリガした後に送信された第1の基準信号リソースに対応する時間領域位置との間のオフセットであってもよく、基準信号リソースに対応する時間領域位置と、以前の基準信号リソースに対応する時間領域位置との間のオフセットであってもよい。基準信号はCSI−RSであってもよい。
【０１２４】
可能な実装形態では、1つもしくは複数の基準信号リソースが同じタイムスロットに対応するか、または1つもしくは複数の基準信号リソースが同じ基準信号リソースセット内に構成される。この場合、同じ基準信号リソースセットに属するとき、1つまたは複数の基準信号リソースは同じタイムスロットオフセットを有する。
【０１２５】
具体的には、タイムスロットオフセットの単位はタイムスロットであり、1つまたは複数の基準信号リソースは同じタイムスロットに対応し、ネットワークデバイスは1つまたは複数の基準信号リソースのタイムスロットオフセットを同じ値に構成する必要がある。
【０１２６】
別の可能な実装形態では、同じ基準信号リソースセット内に構成された1つまたは複数の基準信号リソースは複数のグループに分割され、基準信号リソースの各グループは同じ時間オフセット値を有し、基準信号リソースの異なるグループは異なる時間オフセットを有する。
【０１２７】
たとえば、基準信号リソースセットは合計m＋n個の基準信号リソースを含み、最初のm個の基準信号リソースの時間オフセット値は第1の値であり、最後のn個の基準信号リソースの時間オフセット値は第2の値であり、最初のm個の基準信号リソースは第1のタイムスロットに対応し、最後のn個の基準信号リソースは第2のタイムスロットに対応し、mおよびnは1以上の整数である。
【０１２８】
別の例では、時間オフセットの単位はタイムスロットであり、ネットワークデバイスは16個のCSI−RSリソースを構成する予定であり、16個のCSI−RSリソースは同じCSI−RSリソースセットに属し、最初の8個のCSI−RSリソースはタイムスロットkに対応し、最後の8個のCSI−RSリソースはタイムスロットk＋1に対応する。トリガ指示が位置するタイムスロットがタイムスロットkであると仮定すると、最初の8個のCSI−RSリソースのすべての時間オフセットは0であり、最後の8個のCSI−RSリソースのすべての時間オフセットは1である。時間オフセットの単位がOFDMシンボルであるとき、最初の8個のCSI−RSリソースの共通シンボルオフセットは0であり、最後の8個のCSI−RSリソースの共通シンボルオフセットは14である。
【０１２９】
S302．ネットワークデバイスが端末デバイスに構成情報を送信し、端末デバイスはネットワークデバイスから構成情報を受信する。
【０１３０】
場合によっては、構成情報は、上位レイヤシグナリングの基準信号リソース構成フィールド（フィールドは代替として別の名前を有する場合がある）を使用することにより、端末デバイスに送信される。
【０１３１】
S303．ネットワークデバイスが、構成情報によって示された時間周波数リソースに基づいて、1つまたは複数の基準信号リソースによって示された基準信号を送信し、端末デバイスはネットワークデバイスから基準信号を受信する。
【０１３２】
具体的には、端末デバイスは、ネットワークデバイスによって送信されたトリガ指示を受信し、トリガ指示が位置するタイムスロットを特定し、構成情報に基づいて、1つまたは複数の基準信号リソースが位置するタイムスロットを特定する。端末デバイスは、特定されたタイムスロット内で、ネットワークデバイスからの基準信号であり、1つまたは複数の基準信号リソースによって示された基準信号を受信する。
【０１３３】
ネットワークデバイスが、基準信号リソースセット用の第1のタイムスロットオフセットを構成し、基準信号リソースセットに含まれる少なくとも1つの基準信号リソース用の第2のタイムスロットオフセットを構成するとき、第1のタイムスロットオフセットが第2のタイムスロットオフセットとは異なる場合、ネットワークデバイスおよび端末デバイスは、4つの方法を使用してタイムスロットオフセットを特定することに留意されたい。1．第1のタイムスロットオフセットが構成されると、第1のタイムスロットオフセットが使用される。2．第2のタイムスロットオフセットが構成されると、第2のタイムスロットオフセットが使用される。3．第1のタイムスロットオフセットおよび第2のタイムスロットオフセットが加算され、最終的なタイムスロットオフセットとして使用される。4．2つのタイムスロットオフセットの両方が設定されると、タイムスロットオフセットのうちの1つが最終的なタイムスロットオフセットとして選択される。
【０１３４】
図3の説明に基づいて、ネットワークデバイスが非周期的に基準信号を送信するとき、ネットワークデバイスは、構成情報を使用して、1つまたは複数の送信予定基準信号リソースの時間オフセットを端末デバイスに通知し、その結果、ネットワークデバイスは、異なる時間領域位置で基準信号を柔軟に送信することができる。
【０１３５】
本発明の実施形態における基準信号構成方法が上記で詳細に記載され、本発明の実施形態における基準信号構成装置（以下、装置4と略称される）が以下に提供される。
【０１３６】
可能な実装形態では、図4に示された装置4は、図2aに示された実施形態におけるネットワークデバイス側を実装することができる。装置4は、決定ユニット401および送信ユニット402を含む。決定ユニット401は、構成情報を決定するように構成される。構成情報は、1つまたは複数の基準信号リソースセットのタイムスロットオフセットを示すために使用され、基準信号リソースセットは少なくとも1つの基準信号リソースを含み、基準信号リソースは基準信号構成を示すために使用される。送信ユニット402は、端末デバイスに構成情報を送信するように構成される。送信ユニット402は、構成情報によって示された時間周波数リソース上で、1つまたは複数の基準信号リソースセットによって示された基準信号を送信するようにさらに構成される。
【０１３７】
場合によっては、構成情報は、上位レイヤシグナリングの基準信号リソースセット構成に含まれる。
【０１３８】
場合によっては、構成情報は基準信号リソース設定構成に含まれる。
【０１３９】
場合によっては、構成情報はビットマップを含み、
ビットの値が1であるとき、それは基準信号リソースセットによって示された基準信号がビットに対応するタイムスロット内で送信されることを示し、ビットの値が0であるとき、それは基準信号リソースセットによって示された基準信号がビットに対応するタイムスロット内で送信されないことを示し、または
ビットの値が0であるとき、それは基準信号リソースセットによって示された基準信号がビットに対応するタイムスロット内で送信されることを示し、ビットの値が1であるとき、それは基準信号リソースセットによって示された基準信号がビットに対応するタイムスロット内で送信されないことを示す。
【０１４０】
場合によっては、各基準信号リソースセットのタイムスロットオフセットの最大値は、端末デバイスの報告能力値以下である必要がある。
【０１４１】
可能な実装形態では、構成情報は共通タイムスロットオフセットを含み、共通タイムスロットオフセットは、複数の基準信号リソースセット内の2つの隣接する基準信号リソースセット間のタイムスロット距離である。
【０１４２】
場合によっては、送信ユニット402は、端末デバイスにトリガ指示を送信するようにさらに構成され、トリガ指示は、基準信号を受信し、かつ／または測定結果を報告するように、端末デバイスに命令するために使用される。
【０１４３】
場合によっては、送信ユニット402は、基準信号リソースセットのインデックス番号の昇順または降順に、少なくとも2つの異なるタイムスロット内で、基準信号リソースセットによって示された基準信号を順次送信する。
【０１４４】
場合によっては、装置4は、
端末デバイスによって報告された測定結果を受信するように構成され、測定結果は、1つまたは複数の基準信号リソースセットによって示された基準信号を測定することにより、端末デバイスによって取得される、受信ユニット
をさらに含む。
【０１４５】
本発明のこの実施形態および図2aの方法実施形態は、同じ考えに基づいており、同じ技術的効果をもたらす。具体的なプロセスについては、図2aの方法実施形態の説明を参照し、詳細は本明細書では再び記載されない。
【０１４６】
別の可能な実装形態では、図4に示された装置4は、図3に示された実施形態におけるネットワークデバイス側を実装することができる。装置4は、決定ユニット401および送信ユニット402を含む。決定ユニット401は、構成情報を決定するように構成される。送信ユニットは、端末デバイスに構成情報を送信するように構成される。送信ユニット402は、構成情報によって示された時間周波数リソース上で、1つまたは複数の基準信号リソースによって示された基準信号を送信するようにさらに構成される。
【０１４７】
構成情報は、1つまたは複数の基準信号リソースの時間オフセットを示すために使用される。時間オフセットの単位には、限定はしないが、タイムスロット、OFDMシンボル、またはサブフレームが含まれる。基準信号リソースは基準信号構成を示すために使用され、構成は時間周波数リソース情報を含む。本発明のこの実施形態における時間オフセットは、基準信号リソースに対応する時間領域位置と、第1の基準信号リソースに対応する時間領域位置との間のオフセットであってもよく、基準信号リソースに対応する時間領域位置と、以前の基準信号リソースに対応する時間領域位置との間のオフセットであってもよい。基準信号は、CSI−RSであってもよく、別の基準信号であってもよい。
【０１４８】
場合によっては、最初のn個の基準信号リソースの時間オフセットは第1の値であり、最後のm個の基準信号リソースの時間オフセットは第2の値であり、最初のn個の基準信号リソースは第1のタイムスロットに対応し、最後のm個の基準信号リソースは第2のタイムスロットに対応し、最初のn個の基準信号リソースおよび最後のm個の基準信号リソースは、同じ基準信号リソースセットに属する。
【０１４９】
場合によっては、構成情報は、上位レイヤシグナリングの基準信号リソース構成に含まれる。基準信号リソース構成は、基準信号リソースの構成を示すために使用され、構成は、基準信号の数、基準信号のアンテナポート番号、および時間周波数リソースインデックスのうちの1つまたは複数を含むが、それらに限定されない。
【０１５０】
場合によっては、1つまたは複数の基準信号リソースは同じタイムスロットに対応し、すべての基準信号リソースは同じ時間オフセットを有する。
【０１５１】
本発明のこの実施形態および図3の方法実施形態は、同じ考えに基づいており、同じ技術的効果をもたらす。具体的なプロセスについては、図3の方法実施形態の説明を参照し、詳細は本明細書では再び記載されない。
【０１５２】
装置4はネットワークデバイスであってもよく、または装置4は、関連機能を実装するように構成されたフィールドプログラマブルゲートアレイ（field−programmable gate array、FPGA）、専用集積チップ、システムオンチップ（system on chip、SoC）、中央処理装置（central processor unit、CPU）、ネットワークプロセッサ（network processor、NP）、デジタル信号処理回路、もしくはマイクロコントローラユニット（micro controller unit、MCU）であってもよく、プログラマブル論理デバイス（programmable logic device、PLD）もしくは別の集積チップであってもよい。
【０１５３】
本発明の実施形態における基準信号構成方法が上記で詳細に記載され、本発明の実施形態における基準信号構成装置（以下、装置5と略称される）が以下に提供される。
【０１５４】
可能な実装形態では、図5に示された装置5は、図2aに示された実施形態における端末デバイス側を実装することができる。装置5は、受信ユニット501を含む。
【０１５５】
受信ユニット501は、ネットワークデバイスから構成情報を受信するように構成される。構成情報は、1つまたは複数の基準信号リソースセットのタイムスロットオフセットを示すために使用され、基準信号リソースセットは少なくとも1つの基準信号リソースを含み、基準信号リソースは基準信号構成を示すために使用される。
【０１５６】
受信ユニット501は、構成情報によって示された時間周波数リソース上で、1つまたは複数の基準信号リソースセットによって示された基準信号を受信するようにさらに構成される。
【０１５７】
場合によっては、構成情報は、上位レイヤシグナリングの基準信号リソース構成に含まれる。
【０１５８】
場合によっては、構成情報は、上位レイヤシグナリングの基準信号ソース設定構成に含まれる。
【０１５９】
場合によっては、構成情報はビットマップを含み、
ビットの値が0であるとき、それは基準信号リソースセットによって示された基準信号がビットに対応するタイムスロット内で送信されることを示し、ビットの値が1であるとき、それは基準信号リソースセットによって示された基準信号がビットに対応するタイムスロット内で送信されないことを示し、またはビットの値が0であるとき、それは基準信号リソースセットによって示された基準信号がビットに対応するタイムスロット内で送信されることを示し、ビットの値が1であるとき、それは基準信号リソースセットによって示された基準信号がビットに対応するタイムスロット内で送信されないことを示す。
【０１６０】
場合によっては、各基準信号リソースセットのタイムスロットオフセットの最大値は、構成装置の報告能力値以下である。
【０１６１】
場合によっては、構成情報は共通タイムスロットオフセットを含み、共通タイムスロットオフセットは、複数の基準信号リソースセット内の2つの隣接する基準信号リソースセット間のタイムスロット距離である。
【０１６２】
場合によっては、受信ユニット501は、ネットワークデバイスからトリガ指示を受信するようにさらに構成され、第1の基準信号リソースセットは、トリガ指示が位置するタイムスロットに対応する。
【０１６３】
場合によっては、装置5は、
測定結果を取得するために、1つまたは複数の基準信号リソースセットによって示された基準信号を測定するように構成された処理ユニットと、
ネットワークデバイスに測定結果を送信するように構成された送信ユニットと
をさらに含む。
【０１６４】
本発明のこの実施形態および図2aの方法実施形態は、同じ考えに基づいており、同じ技術的効果をもたらす。具体的なプロセスについては、図2aの方法実施形態の説明を参照し、詳細は本明細書では再び記載されない。
【０１６５】
別の可能な実装形態では、図5に示された装置5は、図3に示された実施形態における端末デバイス側を実装することができる。装置5は、受信ユニット501を含む。
【０１６６】
受信ユニット501は、ネットワークデバイスから構成情報を受信するように構成される。構成情報は、1つまたは複数の基準信号リソースの時間オフセットを示すために使用され、基準信号リソースは基準信号構成を示すために使用される。受信ユニットは、構成情報によって示された時間周波数リソース上で、ネットワークデバイスからの基準信号であり、1つまたは複数の基準信号リソースによって示された基準信号を受信するようにさらに構成される。
【０１６７】
場合によっては、最初のn個の基準信号リソースの時間オフセットは第1の値であり、最後のm個の基準信号リソースの時間オフセットは第2の値であり、最初のn個の基準信号リソースは第1のタイムスロットに対応し、最後のm個の基準信号リソースは第2のタイムスロットに対応し、最初のn個の基準信号リソースおよび最後のm個の基準信号リソースは、同じ基準信号リソースセットに属する。
【０１６８】
場合によっては、構成情報は、上位レイヤシグナリングの基準信号リソース構成に含まれる。基準信号リソース構成は、基準信号リソースの構成を示すために使用され、構成は、基準信号の数、基準信号のアンテナポート番号、および時間周波数リソースインデックスのうちの1つまたは複数を含むが、それらに限定されない。
【０１６９】
場合によっては、1つまたは複数の基準信号リソースは同じタイムスロットに対応し、すべての基準信号リソースは同じ時間オフセットを有する。
【０１７０】
本発明のこの実施形態および図3の方法実施形態は、同じ考えに基づいており、同じ技術的効果をもたらす。具体的なプロセスについては、図3の方法実施形態の説明を参照し、詳細は本明細書では再び記載されない。
【０１７１】
装置5は端末デバイスであってもよく、または装置5は、関連機能を実装するように構成されたフィールドプログラマブルゲートアレイ（field−programmable gate array、FPGA）、専用集積チップ、システムオンチップ（system on chip、SoC）、中央処理装置（central processor unit、CPU）、ネットワークプロセッサ（network processor、NP）、デジタル信号処理回路、もしくはマイクロコントローラユニット（micro controller unit、MCU）であってもよく、プログラマブル論理デバイス（programmable logic device、PLD）もしくは別の集積チップであってもよい。
【０１７２】
本発明の実施形態における基準信号構成方法が上記で詳細に記載され、本発明の実施形態における基準信号構成装置（以下、装置7と略称される）が以下に提供される。
【０１７３】
図6は、本発明の一実施形態による装置の概略構造図であり、装置は以下で装置6と略称される。装置6は、前述のネットワークデバイスまたは端末デバイスに統合されてもよい。図6に示されたように、装置は、メモリ602、プロセッサ601、送信機604、および受信機603を含む。
【０１７４】
メモリ602は、独立した物理ユニットであってもよく、バスを使用してプロセッサ601、送信機604、および受信機603に接続されてもよい。あるいは、メモリ602、プロセッサ601、送信機604、および受信機603は、一緒に統合されるか、ハードウェアによって実装されるかなどであってもよい。
【０１７５】
送信機604および受信機603は、アンテナにさらに接続されてもよい。受信機603は、アンテナを使用して、別のデバイスによって送信された情報を受信する。それに対応して、送信機604は、アンテナを使用して、別のデバイスに情報を送信する。
【０１７６】
メモリ602は、前述の方法実施形態を実装するためのプログラム、または装置実施形態におけるモジュールを記憶するように構成される。プロセッサ601は、前述の方法実施形態における動作を実行するためにプログラムを呼び出す。
【０１７７】
場合によっては、前述の実施形態の方法がソフトウェアによって部分的または全体的に実装されるとき、装置はプロセッサのみを含んでもよい。プログラムを記憶するように構成されたメモリは装置の外に配置され、プロセッサは、メモリに記憶されたプログラムを読み出し実行するために、回路／ケーブルを使用してメモリに接続される。
【０１７８】
プロセッサは、中央処理装置（central processing unit、CPU）、ネットワークプロセッサ（network processor、NP）、またはCPUとNPの組合せであってもよい。
【０１７９】
プロセッサはハードウェアチップをさらに含んでもよい。ハードウェアチップは、特定用途向け集積回路（application−specific integrated circuit、ASIC）、プログラマブル論理デバイス（programmable logic device、PLD）、またはそれらの組合せであってもよい。PLDは、複合プログラマブル論理デバイス（complex programmable logic device、CPLD）、フィールドプログラマブルゲートアレイ（field−programmable gate array、FPGA）、汎用アレイ論理（generic array logic、GAL）、またはそれらの任意の組合せであってもよい。
【０１８０】
メモリは、揮発性メモリ（volatile memory）、たとえば、ランダムアクセスメモリ（random−access memory、RAM）を含んでもよく、不揮発性メモリ（non−volatile memory）、たとえば、フラッシュメモリ（flash memory）、ハードディスクドライブ（hard disk drive、HDD）、もしくは半導体ドライブ（solid−state drive、SSD）を含んでもよく、または、メモリはこれらのメモリの組合せを含んでもよい。
【０１８１】
前述の実施形態では、送信ユニットまたは送信機は、前述の方法実施形態における送信ステップを実行し、受信ユニットまたは受信機は、前述の方法実施形態における受信ステップを実行し、他のステップは別のユニットまたはプロセッサによって実行される。送信ユニットおよび受信ユニットはトランシーバユニットを形成することができ、受信機および送信機はトランシーバを形成することができる。
【０１８２】
本出願の一実施形態は、コンピュータプログラムを記憶するコンピュータ記憶媒体をさらに提供し、コンピュータプログラムは、前述の実施形態で提供された基準信号構成方法を実行するように構成される。
【０１８３】
本出願の一実施形態は、命令を含むコンピュータプログラム製品をさらに提供し、コンピュータプログラム製品がコンピュータ上で動作するとき、コンピュータは、前述の実施形態で提供された基準信号構成方法を実行する。
【０１８４】
本出願の実施形態は、方法、システム、またはコンピュータプログラム製品として提供されてもよいことを当業者なら理解されよう。したがって、本出願は、ハードウェアのみの実施形態、ソフトウェアのみの実施形態、またはソフトウェアとハードウェアの組合せを有する実施形態の形態を使用してもよい。その上、本出願は、コンピュータ使用可能プログラムコードを含む、（限定はしないが、ディスクメモリ、CD−ROM、光メモリなどを含む）1つまたは複数のコンピュータ使用可能記憶媒体に実装されたコンピュータプログラム製品の形態を使用してもよい。
【０１８５】
本出願は、本出願の実施形態による、方法、デバイス（システム）、およびコンピュータプログラム製品のフローチャートおよび／またはブロック図を参照して記載されている。コンピュータプログラム命令は、フローチャートおよび／またはブロック図の各プロセスおよび／または各ブロック、ならびにフローチャートおよび／またはブロック図のプロセスおよび／またはブロックの組合せを実装するために使用されてもよいことを理解されたい。これらのコンピュータプログラム命令は、機械を生成するために、汎用コンピュータ、専用コンピュータ、組込み型プロセッサ、または任意の他のプログラマブルデータ処理デバイスのプロセッサに提供されてもよく、その結果、コンピュータまたは任意の他のプログラマブルデータ処理デバイスのプロセッサによって実行される命令は、フローチャートの1つもしくは複数のプロセス内、および／またはブロック図の1つもしくは複数のブロック内の特定の機能を実装するための装置を生成する。
【０１８６】
これらのコンピュータプログラム命令は、特定の方式で動作するようにコンピュータまたは任意の他のプログラマブルデータ処理デバイスに命令することができるコンピュータ可読メモリに記憶されてもよく、その結果、コンピュータ可読メモリに記憶された命令は、命令装置を含む人工物を生成する。命令装置は、フローチャートの1つもしくは複数のプロセス内、および／またはブロック図の1つもしくは複数のブロック内の特定の機能を実装する。
【０１８７】
これらのコンピュータプログラム命令は、コンピュータまたは別のプログラマブルデータ処理デバイスにロードされてもよく、その結果、一連の動作およびステップは、コンピュータまたは別のプログラマブルデバイス上で実行され、それにより、コンピュータ実装処理が生成される。したがって、コンピュータまたは別のプログラマブルデバイス上で実行される命令は、フローチャートの1つもしくは複数のプロセス内、および／またはブロック図の1つもしくは複数のブロック内の特定の機能を実装するためのステップを実現する。
【符号の説明】
【０１８８】
01  通信システム
101  ネットワークデバイス
102  端末デバイス
200  インターネットプロトコルネットワーク
4  装置
401  決定ユニット
402  送信ユニット
5  装置
501  受信ユニット
502  送信ユニット
6  装置
601  プロセッサ
602  メモリ
603  受信機
604  送信機
7  装置
【図１】
0006667678.tif 000002
【図２ａ】
0006667678.tif 000003
【図２ｂ】
0006667678.tif 000004
【図２ｃ】
0006667678.tif 000005
【図２ｄ】
0006667678.tif 000006
【図２ｅ】
0006667678.tif 000007
【図３】
0006667678.tif 000008
【図４】
0006667678.tif 000009
【図５】
0006667678.tif 000010
【図６】
0006667678.tif 000011